(57)【要約】【課題】原稿を縮小して複写する場合に、原稿上の周辺の領域も記録媒体上に記録することができ、原稿が斜行していても、複写面積の損失を小さくすることができる複写装置及び複写方法を提供すること。【解決手段】ＦＢ−ＭＦＤ１は、ＭＰＵ３、読取部７、記録部９、操作部１１、画像メモリ１３、倍率変換部１８等から構成される。読取部７は縮小複写を行う際は、記録紙の記録領域より広い拡張読取領域で原稿を読み取り、画像データを作成する。画像データは倍率変換部１８にて所定の縮小率で縮小され、記録部９は、その縮小された画像データに基づいて、記録紙上に画像を形成する。【選択図】  図１
2004215101.tif 000002
【特許請求の範囲】
【請求項１】
原稿を読み取って画像データを作成する読取手段と、
前記画像データを所定の縮小率で縮小して縮小画像データを作成する縮小手段と、
前記読取手段にて作成された画像データ、又は前記縮小手段にて作成された縮小画像データに基づいて、記録媒体上の所定の記録領域内に画像を形成する記録手段と、を備える複写装置であって、
前記記録手段が、少なくとも前記縮小画像データに基づいて画像を形成する場合は、前記読取手段は、前記記録領域よりも広い拡張読取領域内で前記原稿を読み取ることを特徴とする複写装置。
【請求項２】
前記縮小手段を使用しない場合は、前記読取手段は、前記記録領域に相当する領域内で前記原稿を読み取ることを特徴とする前記請求項１に記載の画像形成装置。
【請求項３】
前記原稿の拡張読取領域は、前記記録媒体の記録領域に比べて、主走査方向に広い領域であることを特徴とする前記請求項１又は２に記載の複写装置。
【請求項４】
前記縮小率は、前記原稿の副走査方向の長さに対する前記記録媒体の副走査方向の長さの比率として設定されることを特徴とする前記請求項１〜３のいずれかに記載の複写装置。
【請求項５】
前記縮小率は、前記画像データの副走査方向の長さに対する前記記録媒体の副走査方向の長さの比率に比例して設定されることを特徴とする前記請求項１〜３のいずれかに記載の複写装置。
【請求項６】
前記縮小率は、前記原稿の主走査方向の長さに対する前記記録媒体の主走査方向の長さの比率として設定されることを特徴とする前記請求項１〜３のいずれかに記載の複写装置。
【請求項７】
前記読取手段が作成した画像データを、前記縮小手段又は前記記録手段に出力する前に一旦記憶するバッファを備えるとともに、
前記画像データを、前記バッファに記憶する前に縮小する予備縮小手段を備えることを特徴とする前記請求項１〜６のいずれかに記載の複写装置。
【請求項８】
原稿を読み取って画像データを作成する読取工程と、
前記画像データを所定の縮小率で縮小して縮小画像データを作成する縮小工程と、
前記読取工程にて作成された画像データ、又は前記縮小工程にて作成された縮小画像データに基づいて、記録媒体上の所定の記録領域内に画像を形成する記録工程と、を備える複写方法であって、
前記記録工程にて、少なくとも前記縮小画像データに基づいて画像を形成する場合は、前記読取工程では、前記記録領域よりも広い拡張読取領域内で前記原稿を読み取ることを特徴とする複写方法。
【請求項９】
前記縮小工程を使用しない場合は、前記読取工程では、前記記録領域に相当する領域内で前記原稿を読み取ることを特徴とする前記請求項８に記載の複写方法。
【請求項１０】
前記原稿の拡張読取領域は、前記記録媒体の記録領域に比べて、主走査方向に広い領域であることを特徴とする前記請求項８又は９に記載の複写方法。
【請求項１１】
前記縮小率は、前記原稿の副走査方向の長さに対する前記記録媒体の副走査方向の長さの比率として設定されることを特徴とする前記請求項８〜１０のいずれかに記載の複写方法。
【請求項１２】
前記縮小率は、前記画像データの副走査方向の長さに対する前記記録媒体の副走査方向の長さの比率に比例して設定されることを特徴とする前記請求項８〜１０のいずれかに記載に複写方法。
【請求項１３】
前記縮小率は、前記原稿の主走査方向の長さに対する前記記録媒体の主走査方向の長さの比率として設定されることを特徴とする前記請求項８〜１０のいずれかに記載の複写方法。
【発明の詳細な説明】
【０００１】
【発明の属する技術分野】
本発明は、原稿を読み取り画像データを作成する読取手段と、画像データに基づいて画像を記録媒体上に記録する記録手段とを備えた複写装置及び複写方法に関する。
【０００２】
【従来の技術】
従来より、原稿の複写物を作成する複写機能を備える多機能装置が存在している。この多機能装置は、原稿をＣＣＤ（Ｃｈａｒｇｅ  Ｃｏｕｐｌｅｄ  Ｄｅｖｉｃｅ）やＣＩＳ（Ｃｏｎｔａｃｔ  Ｉｍａｇｅ  Ｓｅｎｓｏｒ）等の画像読取部で走査することにより読み取って画像データを作成する。そして、その画像データに基づき、記録部（レーザプリンタやインクジェットプリンタ等）を用いて、記録用紙上の所定の記録領域に画像を記録するものである。例えば、当社の製品ではＭＦＣ−９８００という多機能装置である。
【０００３】
このような多機能装置において、Ａ４サイズ用として使用される多機能装置では、最大原稿はＡ４（短手方向の原稿幅２１０ｍｍ）又はレターサイズ（短手方向の原稿幅２１６ｍｍ）であるが、コピー時に画像読取部で読み取るのは、画像データのデータ量を削減するために、図９（ａ）に示す様に、記録領域に相当する領域のみであった。この記録領域の幅（図９（ａ）における水平方向の記録可能幅）は２０６ｍｍであるので、原稿のうち、左右両端の領域（Ａ４の場合は２ｍｍずつ、レターサイズの場合は５ｍｍずつ）は、いずれにしろ記録できないので、画像読取部により読み取られていなかった。
【０００４】
また、原稿の上端付近及び下端付近も、画像読取部による読み取りは行われていなかった。
これは、ファクシミリやスキャナの場合には指定された領域全てを読み取る必要があるが、複写の場合には記録できる範囲が予め判っており、それ以外の部分を読み取っても無駄になるだけなので、メモリの効率や処理速度の面から記録可能範囲だけを読み取るようにしているのである。
【０００５】
【発明が解決使用とする課題】
従来の多機能装置では、上記のように、複写の場合、原稿の周辺の領域を画像読取部で読み取らないので、その領域に記録されている画像は、画像データに含まれない。そのため、画像データを縮小して記録する場合でも、図９（ｂ）に示す様に、原稿の周辺に記録された部分の画像は記録紙上に記録することができずに欠落してしまい、記録領域の周辺部には、広い余白部分が生じてしまうという問題があった。
【０００６】
また、原稿が斜行した状態で画像読取部に読み取られる場合には、原稿上において、本来は（斜行していない場合は）画像読取部により読み取られる領域にある部分が、その読み取られる領域から外れてしまうことがある。すると、その部分は、記録紙上に記録されずに欠落してしまい、複写損失が大きくなってしまうという問題があった。
【０００７】
本発明は以上の点に鑑みなされたものであり、原稿を縮小して複写する場合に、原稿上の各端部周辺の領域も記録媒体上に記録することができ、たとえ、原稿が斜行していたとしても、複写面積の損失を小さくすることができる複写装置及び複写方法を提供することを目的とする。
【０００８】
【課題を解決するための手段及び発明の効果】
（１）請求項１の発明は、
原稿を読み取って画像データを作成する読取手段と、前記画像データを所定の縮小率で縮小して縮小画像データを作成する縮小手段と、前記読取手段にて作成された画像データ、又は前記縮小手段にて作成された縮小画像データに基づいて、記録媒体上の所定の記録領域内に画像を形成する記録手段と、を備える複写装置であって、前記記録手段が、少なくとも前記縮小画像データに基づいて画像を形成する場合は、前記読取手段は、前記記録領域よりも広い拡張読取領域内で前記原稿を読み取ることを特徴とする複写装置を要旨とする。
【０００９】
本発明では、原稿を縮小して複写する場合は、記録領域よりも広い拡張読取領域で原稿を読み取り、画像データを形成する。従って、その画像データには、記録領域内だけではなく、記録領域の外側の画像も含まれている。
そして、その画像データを縮小して記録媒体上に記録すると、原稿の記録領域の外側の画像（の少なくとも一部）は、記録媒体の記録領域の中に入り、記録される。
【００１０】
つまり、原稿を縮小して複写する場合に本発明を用いれば、原稿における記録領域の外側の部分も、記録媒体上に記録することができ、記録媒体上に形成した画像の欠落部分（原稿上に記載されているが、記録媒体上に記録されない部分）を小さくすることができる。
【００１１】
また、原稿が斜行している場合は、原稿上に、本来は（原稿が斜行していない場合は）記録領域の内側となる部分であっても、記録領域の外側となる部分が生じるが、本発明では、記録領域よりも広い拡張読取領域で原稿を読み取るので、上記のように、斜行により記録領域から外れる部分であっても、読み取って、画像データに含めることができる。
【００１２】
そして、その画像データを縮小して記録媒体上に記録すると、原稿の斜行により記録領域の外側となった部分の画像（の少なくとも一部）は、記録媒体の記録領域の中に入り、記録される。
つまり、原稿を縮小して複写する場合に本発明を用いれば、たとえ原稿が斜行している場合でも記録媒体上に記録されなくなる部分を少なくすることができる。
【００１３】
・前記縮小率とは、前記原稿上の画像の大きさに対し、前記記録手段が記録媒体上に形成したその画像の大きさの比率をいう。
（２）請求項２の発明は、
前記縮小手段を使用しない場合は、前記読取手段は、前記記録領域に相当する領域内で前記原稿を読み取ることを特徴とする前記請求項１に記載の画像形成装置を要旨とする。
【００１４】
本発明において、画像データを縮小しない場合は、読取手段は記録領域内で原稿を読み取るので、拡張読取領域で原稿を読み取る場合よりも、画像データの大きさを小さくすることができる。
そのため、画像データを記録するメモリの容量は小くて済み、また、画像データの書き込み、読み取りに要する時間が短くて済む。
（３）請求項３の発明は、
前記原稿の拡張読取領域は、前記記録媒体の記録領域に比べて、主走査方向に広い領域であることを特徴とする前記請求項１又は２に記載の複写装置を要旨とする。
【００１５】
本発明では、拡張読取領域の幅が記録領域よりも広いので、原稿上において、記録領域から主走査方向に外れている部分も、読取手段により読み取り、記録媒体上に記録することができる。
・前記主走査方向とは、例えば、前記読取手段が、ある１直線上に画像を読み取るための素子（例えばＣＣＤ）を配列した構成を有する場合は、その直線の方向をいう。
（４）請求項４の発明は、
前記縮小率は、前記原稿の副走査方向の長さに対する前記記録媒体の副走査方向の長さの比率として設定されることを特徴とする前記請求項１〜３のいずれかに記載の複写装置を要旨とする。
【００１６】
本発明では、縮小率を上記のように設定することにより、原稿から読み取った画像の副走査方向における長さが、記録媒体の副走査方向の長さに応じるように縮小を行うことができる。そのため、記録媒体上で、画像が記録されていない余白部分が大きくなったり、画像が記録媒体上に収まらなくなるようなことが起こりにくい。
【００１７】
また、例えば、縮小率の設定を、自動的に行うようにした場合は、使用者が縮小率を設定する労力を省くことができる。
・前記副走査方向とは、例えば、前記主走査方向と直行する方向をいう。
（５）請求項５の発明は、
前記縮小率は、前記画像データの副走査方向の長さに対する前記記録媒体の副走査方向の長さの比率に比例して設定されることを特徴とする前記請求項１〜３のいずれかに記載の複写装置を要旨とする。
【００１８】
本発明では、縮小率を上記のように設定することにより、画像データの副走査方向における長さが、記録媒体の副走査方向における長さに応じるように縮小を行うことができる。そのため、記録媒体上で、画像が記録されていない余白部分が大きくなったり、画像が記録媒体上に収まらなくなるようなことがない。
【００１９】
特に本発明では、原稿の一部にしか画像が記載されていない場合でも、その画像の副走査方向における長さに基づいて縮小率を定めるので、記録媒体上で、画像が記録されていない余白部分が大きくなることがない。
また、例えば、縮小率の設定を、自動的に行うようにした場合は、使用者が縮小率を設定する労力を省くことができる。
（６）請求項６の発明は、
前記縮小率は、前記原稿の主走査方向の長さに対する前記記録媒体の主走査方向の長さの比率として設定されることを特徴とする前記請求項１〜３のいずれかに記載の複写装置を要旨とする。
【００２０】
本発明では、縮小率を上記のように設定することにより、原稿から読み取った画像の主走査方向における長さが、記録媒体の主走査方向における長さに応じるように縮小を行うことができる。そのため、記録媒体上で、画像が記録されていない余白部分が大きくなったり、画像が記録媒体上に収まらなくなるようなことがない。
【００２１】
また、例えば、縮小率の設定を、自動的に行うようにした場合は、使用者が縮小率を設定する労力を省くことができる。
（７）請求項７の発明は、
前記読取手段が作成した画像データを、前記縮小手段又は前記記録手段に出力する前に一旦記憶するバッファを備えるとともに、前記画像データを、前記バッファに記憶する前に縮小する予備縮小手段を備えることを特徴とする前記請求項１〜６のいずれかに記載の複写装置を要旨とする。
【００２２】
本発明では、例えば、拡張読取領域で原稿を読み取ることにより、画像データが大きい場合でも、予備縮小手段により（例えば１ラインの）画像データを、例えば、記録領域で原稿を読み取った場合の画像データのサイズ、又はそれ以下のサイズに予め縮小するので、原稿を読み取った後で改めて縮小処理をする必要がなく、処理を高速にできる。
【００２３】
・前記予備縮小手段は、例えば、１ライン分の画像データ（読取手段が原稿上の１ラインを読み取ることにより作成される画像データ）ごとに縮小を行うものとすることができる。
また、前記バッファは、例えば、上記１ライン分の画像データを一旦記録し、順次、例えば、記録手段や、他のメモリに出力するものとすることができる。
（８）請求項８の発明は、原稿を読み取って画像データを作成する読取工程と、
前記画像データを所定の縮小率で縮小して縮小画像データを作成する縮小工程と、前記読取工程にて作成された画像データ、又は前記縮小工程にて作成された縮小画像データに基づいて、記録媒体上の所定の記録領域内に画像を形成する記録工程と、を備える複写方法であって、前記記録工程にて、少なくとも前記縮小画像データに基づいて画像を形成する場合は、前記読取工程では、前記記録領域よりも広い拡張読取領域内で前記原稿を読み取ることを特徴とする複写方法を要旨とする。
【００２４】
本発明は、前記請求項１と同様の作用効果を奏する。
（９）請求項９の発明は、
前記縮小工程を使用しない場合は、前記読取工程では、前記記録領域に相当する領域内で前記原稿を読み取ることを特徴とする前記請求項８に記載の複写方法を要旨とする。
【００２５】
本発明は、前記請求項２と同様の作用効果を奏する。
（１０）請求項１０の発明は、
前記原稿の拡張読取領域は、前記記録媒体の記録領域に比べて、主走査方向に広い領域であることを特徴とする前記請求項８又は９に記載の複写方法を要旨とする。
【００２６】
本発明は、前記請求項３と同様の作用効果を奏する。
（１１）請求項１１の発明は、
前記縮小率は、前記原稿の副走査方向の長さに対する前記記録媒体の副走査方向の長さの比率として設定されることを特徴とする前記請求項８〜１０のいずれかに記載の複写方法を要旨とする。
【００２７】
本発明は、前記請求項４と同様の作用効果を奏する。
（１２）請求項１２の発明は、
前記縮小率は、前記画像データの副走査方向の長さに対する前記記録媒体の副走査方向の長さの比率に比例して設定されることを特徴とする前記請求項８〜１０のいずれかに記載に複写方法を要旨とする。
【００２８】
本発明は、前記請求項５と同様の作用効果を奏する。
（１３）請求項１３の発明は、
前記縮小率は、前記原稿の主走査方向の長さに対する前記記録媒体の主走査方向の長さの比率として設定されることを特徴とする前記請求項８〜１０のいずれかに記載の複写方法を要旨とする。
【００２９】
本発明は、前記請求項６の発明と同様の作用効果を奏する。
【００３０】
【発明の実施の形態】
以下に本発明の複写装置及び複写方法の例（実施例）を説明する。尚、ここでは、複写装置として、原稿を載置可能な原稿台ガラスと、この原稿台ガラスを覆う原稿台カバーとを備える多機能装置であるＦＢ−ＭＦＤ（Ｆｌａｔ  Ｂｅｄ  −Ｍｕｌｔｉ  Ｆｕｎｃｔｉｏｎ  Ｄｅｖｉｃｅ）を例にとって説明する。
（実施例１）
ａ）まず、本実施例１のＦＢ−ＭＦＤ（複写装置）の構成を図１を用いて説明する。
【００３１】
本実施例１のＦＢ−ＭＦＤ１は、ＭＰＵ３、ＲＡＭ４、ＲＯＭ５、読取部（読取手段）７、記録部（記録手段）９、操作部１１、画像メモリ１３、コーデック１５、表示部１７、倍率変換部（縮小手段）１８から構成され、各部３〜１８はバス１９を介してそれぞれ接続されている。
【００３２】
上記ＭＰＵ３は、ＦＢ−ＭＦＤ１を構成する各部を制御する。
上記ＲＡＭ４は、ＭＰＵ３による作業領域が展開されるランダムアクセスメモリである。
上記ＲＯＭ５は、ＦＢ−ＭＦＤ１を制御するためのプログラムを記憶する。
【００３３】
上記読取部７は、原稿台ガラス上に載置された原稿を読み取って画像データを作成する読取手段である。その具体的な構成は後に詳述する。
上記記録部９は、電子写真方式のカラープリンタより成り、シアン、マゼンタ、イエロー及びブラックのトナーをそれぞれ収容するトナーケース（図示略）を備えている。そして、複写動作において読取部７で読み取った画像データを、図示しない記録紙（記録媒体）上に記録する。
【００３４】
尚、記録部９は、電子写真方式のカラープリンタに代えて、シアン、マゼンタ、イエロー及びブラックのインクをそれぞれ収容するインクカセットを備えたインクジェット方式のカラープリンタであってもよい。また、ブラックのトナー（インク）が無い場合には、シアン、マゼンタ及びイエローのトナー（インク）を使用する構成でもよい。更には、記録部９は、電子写真方式又はインクジェット方式のモノクロプリンタでもよい。
【００３５】
記録部９において記録紙上に記録できる領域（記録領域）は、その長手方向に２９１ｍｍ、幅方向に２０６ｍｍの領域である。尚、上記長手方向とは、読取手段７において、後述する副走査方向に対応する方向であり、上記幅方向とは、読取手段７において、後述する主走査方向に対応する方向である。
【００３６】
上記操作部１１は、スタートキー２１、自動縮小モードキー２３、等倍複写モードキー２５、固定値縮小モードキー２７、縮小率設定キー２９、用紙サイズ設定キー３１、原稿サイズ設定キー３３等の各種操作キーを備えている。スタートキー２１は、読取部７に原稿の読み取りを開始させるためのものである。自動縮小モードキー２３は、複写の際の縮小率の設定を、原稿及び記録紙のサイズに合わせて自動的に定めるようにするためのものである。尚、その縮小率の設定方法については後に詳述する。等倍複写モードキー２５は、複写の際の倍率を等倍に設定するためのものである。固定値縮小モードキー２７は、複写の際の倍率（縮小率）を１００％より小さい固定値として設定する場合に入力するキーである。この固定値縮小モードキー２７を入力した場合は、縮小率設定キー２９にて複写の際の縮小率を設定する。この縮小率設定キー２９は、図示しないテンキーを備えており、そのテンキーにより、縮小率（例えば、１〜９９％の範囲における所定の縮小率）を入力することができる。また、縮小率設定キー２９は、上記テンキーとともに、または上記テンキーに代えて、一回押すごとに倍率が所定の量だけ増加するキーである倍率増加キーと、一回押すごとに倍率が所定の量だけ減少するキーである倍率減少キーとを備えていてもよい。用紙サイズ設定キー３１は、記録部９により画像を形成する記録紙のサイズを入力するためのものである。設定できる記録紙のサイズとしては、Ａ４、レターサイズ等がある。原稿サイズ設定キー３３は、読取部７にて読み取る原稿のサイズを入力するためのものである。設定できる原稿サイズとしては、Ａ４、レターサイズ等がある。
【００３７】
上記画像メモリ１３は、読取部７で読み取られた画像データを記憶するためのメモリである。
上記コーデック１５は、読取部７が読み取った画像データを、画像メモリ１３に記録する前に、公知の圧縮技術であるＭＨ、ＭＲ、ＭＭＲ、ＪＢＩＧ方式等により帯域圧縮して符号化（エンコード）する。また、コーデック１５は、画像メモリ１３から読み出された画像データを複合（デコード）する。
【００３８】
上記表示部１７は、操作部１１により入力した設定や、ＦＢ−ＭＦＤ１の動作状態等の各種情報の表示を行う。
上記倍率変換部１８は、操作部１１にて固定値縮小モードキー２７を入力した場合は、縮小率設定キー２９にて入力された縮小率を記録する。また、操作部１１にて自動縮小モードキー２３を入力した場合には、後述する処理により設定された縮小率を記録する。そして、それらの縮小率により、画像メモリ１３に記録された画像データを縮小することができる。例えば、縮小率が５０％に設定されている場合は、画像データの画素を１個おきに間引くことにより、５０％のサイズに縮小する。
【００３９】
ｂ）次に、読取部７の構成を図２を用いて具体的に説明する。
読取部７は、ＣＣＤ（Ｃｈａｒｇｅｄ  Ｃｏｕｐｌｅｄ  Ｄｅｖｉｃｅ）イメージセンサ３５と、アナログフロントエンド（ＡＦＥ）ＩＣ３７と、ＡＳＩＣ３９とを備えている。
上記ＣＣＤイメージセンサ３５は、図示しない原稿台ガラス上の所定位置に載置された原稿を読み取り、その画素信号をアナログフロントエンドＩＣ３７に出力する。
【００４０】
このＣＣＤイメージセンサ３５は、原稿に対しある一定の方向（主走査方向）に沿う直線上に素子が固定されたラインセンサと、そのラインセンサを、原稿の副走査方向（上記主走査方向と直行する方向）に走査させる駆動部とを備えている。このラインセンサは、副走査方向に沿って、１ステップ進むごとに、１ラインの画素信号を取り込むように制御される。
【００４１】
このＣＣＤイメージセンサ３５が原稿上で読み取る領域は、次のようにして定めることができる。つまり、ラインセンサのうち、どの範囲で撮像を行うかを設定することにより、原稿の主走査方向における読取領域が定まり、上記ラインセンサを副走査方向に走査させる範囲により、原稿の副走査方向における読取領域が定まる。
【００４２】
ＣＣＤイメージセンサ３５が読み取る領域は、操作部１１にて等倍複写モードキー２５を選択した場合は、Ａ４サイズの原稿（長手方向２９７ｍｍ×幅方向２１０ｍｍ）に対し、その長手方向を副走査方向とし、その幅方向を主走査方向として、副走査方向に２９１ｍｍ、主走査方向に２０６ｍｍの領域である。つまり、原稿の副走査方向における上端及び下端の３ｍｍは読み取らず、また、主走査方向における左右両端２ｍｍずつは読み取らない。この副走査方向２９１ｍｍ、主走査方向２０６ｍｍの領域は、記録部９における記録可能領域と等しい（相当する）領域である。
【００４３】
また、操作部１１にて固定値縮小モードキー２７を選択した場合、及び自動縮小モードキー２３を選択した場合は、Ａ４サイズの原稿に対し、副走査方向２９７ｍｍ、主走査方向２１２ｍｍの領域を読み取る。つまり、原稿の副走査方向については、上端から下端まで読み取り、主走査方向については、左右両端のそれぞれ１ｍｍ外側まで読み取る。
【００４４】
上記アナログフロントエンドＩＣ３７は、マルチプレクサ（ＭＵＸ）４１及びアナロクデジタル変換器（ＡＤＣ）４３を備えている。マルチプレクサ４１は、ＣＣＤイメージセンサ３５から得た画素信号を順次アナロクデジタル変換器４３に入力する。アナロクデジタル変換器４３は、その画素信号をデジタル信号としての画像データに変換し、ＡＳＩＣ３９に出力する。
【００４５】
上記ＡＳＩＣ３９は、ＣＰＵ４７、クロック生成部４９、ＣＣＤ制御部５１、及びＡＦＥ制御部５３、ラインデータ縮小部５５、ラインバッファ（バッファ）５７を備えている。
ＣＰＵ４７は、ＡＳＩＣ３９全体の制御を行う。クロック生成部４９は、ＣＣＤイメージセンサ３５やアナログフロントエンドＩＣ３７、ＡＳＩＣ３９の各部を同期して動作させるための基準クロック信号を生成する。ＣＣＤ制御部５１は、クロック生成部１７から得た基準クロック数に従って、ＣＣＤイメージセンサ３５を駆動制御する。ＡＦＥ制御部５３は、アナログフロントエンドＩＣ３７に対して各種設定を施し、オフセット調整や利得調整を行う。
【００４６】
ラインデータ縮小部５５は、アナロクデジタル変換器４３から入力する画像データを１ライン分の画像データ（ＣＣＤイメージセンサ３５のラインセンサが原稿上の１ラインを撮像することにより作成された画像データ）ごとに、ラインバッファ５７に記録できるサイズに縮小してから、ラインバッファ５７に記録する。ラインバッファ５７は、１ライン分の画像データを一旦保持しつつ、順次、コーデック１５（図１）に出力する。
【００４７】
ｃ）次に、本実施例１のＦＢ−ＭＦＤ１により実行される複写方法について図３〜図５のフローチャートを用いて説明する。
図３〜図５のフローチャートに示されている複写処理は、操作者による操作部１１のスタートキー２１の押下（ステップ１０）により開始される。しかしながら、操作者は、スタートキー２１を押下する前に、複写時における各種設定を操作部１１から入力しているのである。
【００４８】
ステップ２０では、操作者により操作部１１に入力された設定の内容が確認される。具体的には、自動縮小モードキー２３、等倍複写モードキー２５、固定値縮小モードキー２７のうちのいずれが操作者により入力されたかが確認される。また、固定値縮小モードキー２７が入力されたと確認された場合は、更に操作者が縮小率設定キー２９にて設定した縮小率が確認される。更に、操作者が用紙サイズ設定キー３１にて入力した記録紙のサイズと、原稿サイズ設定キー３３にて入力した原稿のサイズとが確認される。尚、本実施例１では、原稿及び記録紙のサイズは、それぞれＡ４サイズとする。また、原稿は、その長手方向がＣＣＤイメージセンサ３５の副走査方向となるように、読取部７の原稿台ガラス上の所定位置に載置される。
【００４９】
ステップ３０では、操作者が等倍複写モードキー２５を入力したか否かが判断される。ＹＥＳの場合はステップ４０に進み、ＮＯの場合はステップ１１０（図４）に進む。
ステップ４０では、前記ステップ３０にて等倍複写モードキー２５が入力されたと判断されていることに応じて、倍率変換部１８の縮小率を１００％に設定する。
【００５０】
ステップ５０では、読取部７のＣＣＤイメージセンサ３５が原稿台ガラス上の所定位置に載置された原稿を読み取る領域として、副走査方向２９１ｍｍ、主走査方向２０６ｍｍの領域（記録部９において記録紙上に記録可能な領域である記録領域に相当する領域）を設定する。つまり、原稿の副走査方向における上端及び下端の３ｍｍは読み取らず、また、主走査方向における左右両端２ｍｍずつは読み取らない。
【００５１】
ステップ６０では、ＣＣＤイメージセンサ３５により原稿の読み取りを開始する。具体的には、ＣＣＤイメージセンサ３５のラインセンサを、副走査方向に１ステップずつ走査させつつ、前記ステップ５０にて設定した領域の端から読取を開始する。そして、ＣＣＤイメージセンサ３５が原稿を読み取って出力した画素信号は、アナログフロントエンドＩＣ３７にてデジタル信号である画像データに変換され、その画像データは、ラインデータ縮小部５５を経て一旦ファインバッファ５７に記録され、そこから、コーデック１５（図１）に送られる。その画像データは、コーデック１５でエンコードされてから、画像メモリ１３（図１）に記録される。尚、このステップ６０にて、原稿を読み取り、画像データを作成する処理は、読取工程に該当する。
【００５２】
ステップ７０では、前記ステップ５０で設定した領域全ての読み取りが終了したか否かを判断する。ＹＥＳの場合はステップ８０に進み、ＮＯの場合はステップ７０に戻る。
ステップ８０では、前記ステップ６０のようにして作成した画像データに基づき、記録部９により記録紙上に画像を形成した場合に、画像が記録紙の中央に形成されるように、センタリング処理を行う。このセンタリング処理は公知の手法であるので、ここでは詳述しない。
【００５３】
ステップ９０では、画像メモリ１３から読み出した画像データをコーデック１５にてデコードしてから、記録部９に出力し、記録紙上に記録を開始する。
尚、このステップ９０にて画像を形成する処理は、記録工程に該当する。
ステップ１００では、画像データを最後まで記録部９に出力したか否かを判断する。ＹＥＳの場合は本処理を終了し、ＮＯの場合はステップ１００に戻る。
【００５４】
一方、前記ステップ３０にてＮＯと判断された場合は、ステップ１１０（図４）に進み、操作者が操作部１１にて固定値縮小モードキー２７を入力したか否かが判断される。ＹＥＳの場合はステップ１２０に進み、ＮＯの場合はステップ２００（図５）に進む。
【００５５】
ステップ１２０では、倍率変換部１８の縮小率として、操作者が縮小率設定キー２９にて入力した値（例えば、１〜９９％の範囲のうちのいずれかの値）が設定される。
ステップ１３０では、読取部７のＣＣＤイメージセンサ３５が原稿台ガラス上の所定値に載置された原稿を読み取る領域として、副走査方向２９７ｍｍ、主走査方向２１２ｍｍの領域（拡張読取領域）を設定する。つまり、原稿の副走査方向については上端から下端まで全て読み取り、主走査方向については、左右の両端のそれぞれ１ｍｍ外側まで読み取るように設定する。
【００５６】
ステップ１４０では、ＣＣＤイメージセンサ３５により原稿の読み取りを開始する。具体的には、ＣＣＤイメージセンサ３５のラインセンサを、前記ステップ１３０にて設定した領域の端から副走査方向に１ステップずつ走査させつつ、１ラインずつ読取を行う。
【００５７】
そして、ＣＣＤイメージセンサ３５が原稿を読み取って出力した画素信号は、アナロクデジタル変換器４３にて画像データに変換され、ラインデータ縮小部５５に送られる。このステップ１４０にて、原稿を読み取り、画像データを作成する処理は、読取工程に該当する。
【００５８】
ステップ１５０では、ラインデータ縮小部５５により、１ライン分の画像データ毎に、指示された固定値の縮小率に従って縮小処理を行うと共に、副走査方向にも縮小率に応じて間引きしながらデータをラインバッファ５７に記憶する。この場合は、既に縮小率が判っているため、読取中にデータを加工して縮小することができ、一旦メモリに蓄積した後に倍率変換部１８によって縮小するよりも処理速度を向上させることができる。
【００５９】
縮小された１ライン分の画像データは、一旦、ラインバッファ５７に記録されてから、順次、コーデック１５（図１）に送られ、エンコードされてから、画像メモリ１３に記録される。
ステップ１６０では、前記ステップ１３０で設定した領域全ての読み取りが終了したか否かを判断する。ＹＥＳの場合はステップ１７０に進み、ＮＯの場合はステップ１５０に戻る。
【００６０】
ステップ１７０では、前記ステップ１５０にて縮小した画像データに基づいて記録紙上に記録を行った際に、記録紙の中央に画像が形成されるように、センタリング処理を行う。
ステップ１８０では、前記ステップ１５０にて縮小した画像データのサイズが、記録部９における記録領域に対応するサイズより大きいか否かを判断する。  つまり、画像データの主走査方向のサイズが、記録紙の記録領域における主走査方向の長さに対応するデータサイズよりも大きいか否か、及び、画像データの副走査方向のサイズが、記録紙の記録領域における副走査方向の長さに対応するデータサイズよりも大きいか否か、を判断する。画像データの主走査方向及び副走査方向の大きさが、いずれも、上記基準よりも小さい場合（ＹＥＳの場合）はステップ９０（図３）に進み、それ以外の場合（ＮＯの場合）はステップ１９０に進む。
【００６１】
ステップ１９０では、画像データのうち、記録領域に対応するサイズからはみ出す部分を、トリミングし、画像データのサイズを、記録領域に収まるものとする。このトリミングの手法は公知の手法であるので、ここでは詳述しないが、具体的には、画像中心を維持して両端をトリミングすることになる。
【００６２】
一方、前記ステップ１１０にてＮＯと判断された場合はステップ２００（図５）に進む。このステップ２００では、前記ステップ４０と同様に、倍率変換部１８の縮小率として一旦１００％を設定する。
ステップ２１０では、前記ステップ１３０と同様に、読取部７のＣＣＤイメージセンサ３５が原稿を読み取る領域として、副走査方向２９７ｍｍ、主走査方向２１２ｍｍの領域（拡張読取領域）を設定する。
【００６３】
ステップ２２０では、前記ステップ１４０と同様に、ＣＣＤイメージセンサ３５により原稿の読み取りを開始し、画像データは順次、コーデック１５に送られ、エンコードされてから、画像メモリ１３に記録される。
尚、このステップ２２０にて原稿を読み取り、画像データを作成する処理は、読取工程に該当する。
【００６４】
ステップ２３０では、ステップ２２０で読み取りを開始してから、副走査方向のライン数（ＣＣＤイメージセンサ３５のラインセンサが撮像を行ったラインの数）が、所定のライン数に達したか否かを判断する。ここで、上記所定のライン数とは、原稿の拡張読取領域を全て読み取る為に必要なライン数である。尚、この所定のライン数は、操作者が原稿サイズ設定キー３３にて設定した原稿のサイズに応じて、予め定められた値である。
【００６５】
副走査方向のライン数が上記所定のライン数に達した（ＹＥＳ）の場合はステップ２４０に進み、達していない（ＮＯ）の場合はステップ２５０に進む。
ステップ２４０では、ラインセンサのライン数（Ａ）と、記録紙の記録領域における副走査方向の長さ（Ｂ）と、ライン間の間隔（Ｃ）とに基づいて、以下の式により、縮小率（Ｓ）を定め、倍率変換部１８に設定する。
【００６６】
Ｓ＝Ｂ／（Ａ×Ｃ）
尚、上記Ａは、画像データの副走査方向のサイズに比例する数値であり、上記Ｂは、記録紙の副走査方向の長さに比例する値であるので、上記Ｓは、画像データの副走査方向の長さに対する記録紙の副走査方向の長さの比率に比例するものである。
【００６７】
このステップ２４０の後は、ステップ２７０に進み、倍率変換部１８で縮小処理を行い、ステップ１７０に進む。
一方、前記ステップ２３０にてＮＯと判断された場合はステップ２５０に進む。このステップ２５０では、副走査方向のライン数が、所定の上限ライン数を越えたか否かを判断する。ＹＥＳの場合はステップ２６０に進み、ＮＯの場合はステップ２３０に進む。
【００６８】
ステップ２６０では、縮小率Ｓとして所定の下限縮小率を、倍率変換部１８に設定する。このステップ２６０の後は、ステップ２７０（図４）に進む。
ｄ）次に、本実施例１のＦＢ−ＭＦＤ１、及び、それを用いた複写方法が奏する効果を説明する。
【００６９】
▲１▼本実施例１のＦＢ−ＭＦＤ１は、縮小複写をする場合に、原稿上の、記録領域に相当する領域外に記録された画像も、記録紙上に記録することができる。
つまり、本実施例１では、原稿を縮小して複写する場合（ステップ３０にてＮＯの場合）は、図６（ａ）に示す様に、記録紙の記録領域よりも広い拡張読取領域で原稿を読み取り、画像データを形成するので、その画像データには、記録領域に相当する領域だけではなく、その領域の外側の画像も含まれている。そして、その画像データを縮小して記録紙上に記録すると、図６（ｂ）に示す様に、原稿の記録領域に相当する領域の外側の画像（の少なくとも一部）は、記録紙の記録領域の中に入り、記録される。
【００７０】
このことにより、本実施例１のＦＢ−ＭＦＤ１およびそれを用いた複写方法は、縮小複写を行う場合に、記録紙上に形成した画像の欠落部分（原稿上には記載されているが、記録紙上に記録されない部分）を小さくすることができる。
▲２▼本実施例１のＦＢ−ＭＦＤ１は、原稿を読み取る際に、記録領域よりも広い拡張読取領域で読み取るので、原稿が原稿台上で斜行している場合でも、複写損失を小さくすることができる。
【００７１】
つまり、原稿が斜行している場合は、原稿上で、本来は（原稿が斜行していない場合は）記録領域に相当する領域内の部分であっても、その領域の外側となる部分が生じるが、本実施例１では、図７（ａ）に示す様に、記録領域よりも広い拡張読取領域で原稿を読み取るので、上記のように、斜行により記録領域から外れる部分であっても、読み取って、画像データに含めることができる。
【００７２】
そして、その画像データを縮小して記録紙上に記録すると、図７（ｂ）に示す様に、原稿の斜行により、原稿上において、記録領域に相当する領域の外となった部分の画像（の少なくとも一部）は、記録紙の記録領域の中に入り、記録される。
【００７３】
▲３▼本実施例１では、原稿を拡張読取領域で読み取る場合は、記録領域で読み取る場合よりも、主走査方向の読取幅が大きくなるので、１ラインの画像データが、記録領域で原稿を読み取る場合の１ラインの画像データよりも大きくなる。
しかし、本実施例１では、ラインデータ縮小部５５により、１ラインの画像データを、予め縮小することにより、原稿を読み取った後で改めて縮小処理をする必要がなく、処理を高速にできる。
【００７４】
▲４▼本実施例１では、自動縮小モードキー２３を選択した場合は、図５のステップ２４０又はステップ２６０のようにして縮小率を設定する。
ステップ２４０のように縮小率を設定した場合は、画像データの副走査方向の長さ（ライン数）が、記録紙の記録領域における副走査方向の長さに一致するように、複写を行うことができる。そのため、記録紙上で、画像が記録されていない余白部分が大きくなったり、画像が記録紙の記録領域に収まらなくなるようなことがない。
【００７５】
また、ステップ２６０のようにして縮小率を設定した場合は、縮小率が過剰に小さくなることがない。
（実施例２）
本実施例２のＦＢ−ＭＦＤは、前記実施例１と同様の構成を備えている。  また、本実施例２のＦＢ−ＭＦＤが実行する処理も、基本的には前記実施例１と同様である。
【００７６】
ただし、本実施例２では、読取部７が原稿を読み取る領域を、常に拡張読取領域とするので、読み取る領域を設定する処理（前記実施例１におけるステップ５０、ステップ１３０、ステップ２１０の処理）を行わない。
本実施例２のＦＢ−ＭＦＤ、及び、それを用いた複写方法は、前記実施例１と同様の効果を奏する。
【００７７】
更に、本実施例２では、等倍複写の場合と、縮小複写の場合とで、読み取る領域の設定を変える必要がないので、複写時の処理を簡素化できるという特長を有する。
（実施例３）
本実施例３のＦＢ−ＭＦＤは、前記実施例１と同様の構成を備えている。  また、本実施例３のＦＢ−ＭＦＤが実行する処理も、基本的には前記実施例１と同様である。
【００７８】
ただし、本実施例３では、操作部１１にて自動縮小モードキー２３を入力した場合の処理（前記ステップ１１０にてＮＯと判断された以降の処理）が異なる。この処理を図８のフロー図を用いて説明する。
前記ステップ１１０にてＮＯと判断されると、ステップ３００に進む。このステップ３００では、前記実施例１におけるステップ２００と同様に、倍率変換部１８の縮小率として１００％を設定する。
【００７９】
ステップ３１０では、前記実施例１におけるステップ２１０と同様に、読取部７のＣＣＤイメージセンサ３５が原稿を読み取る領域として、副走査方向２９７ｍｍ、主走査方向２１２ｍｍの領域（拡張読取領域）を設定する。
ステップ３２０では、前記実施例１におけるテップ２２０と同様に、ＣＣＤイメージセンサ３５により原稿の読み取りを開始し、画像データは順次、画像メモリ１３に記録する。
【００８０】
ステップ３３０では、原稿の読み取りが終了したか否かを判断する。ＹＥＳの場合はステップ３４０に進み、ＮＯの場合はステップ３３０に戻る。
ステップ３４０では、原稿の副走査方向の長さ（Ｄ）と、記録紙の副走査方向の長さ（Ｅ）とを用いて、次式により縮小率Ｓを算出し、倍率変換部１８に設定する。尚、ＤとＥとは、操作部１１において用紙サイズ設定キー３１及び原稿サイズ設定キー３３により入力した原稿や記録紙のサイズに応じて、予め定められている値である。
【００８１】
Ｓ＝Ｅ／Ｄ
つまり、このステップ３４０では、原稿の副走査方向の長さに対する記録紙の副走査方向の長さの比率として縮尺率を設定する。
ステップ３４０終了後は、ステップ１７０（図４）に進む。
【００８２】
本実施例３のＦＢ−ＭＦＤ１、及び、それを用いた複写方法は、前記実施例１と同様の効果を奏する。
（実施例４）
本実施例４のＦＢ−ＭＦＤは、前記実施例３と同様の構成を備えている。  また、本実施例４のＦＢ−ＭＦＤが実行する処理も、基本的には前記実施例３と同様である。
【００８３】
ただし、本実施例４では、自動縮小モードにおいて縮小率を設定する処理（前記実施例３のステップ３４０）において異なる。つまり、本実施例４では、原稿の主走査方向の長さ（Ｆ）と、記録紙の主走査方向の長さ（Ｇ）とを用いて、次式により縮小率Ｓを算出し、倍率変換部１８に設定する。尚、ＦとＧとは、操作部１１において用紙サイズ設定キー３１及び原稿サイズ設定キー３３により入力した原稿や記録紙のサイズに応じて、予め定められている値である。
【００８４】
Ｓ＝Ｇ／Ｆ
つまり、この本実施例４では、原稿の主走査方向の長さに対する記録紙の主走査方向の長さの比率として縮尺率を設定する。
本実施例４のＦＢ−ＭＦＤ、及び、それを用いた複写方法は、前記実施例３と同様の効果を奏する。
【００８５】
尚、本発明は前記実施例になんら限定されるものではなく、本発明を逸脱しない範囲において種々の態様で実施しうることはいうまでもない。
・例えば、記録紙サイズがレターサイズ（２１６ｍｍ幅）である場合には、読取幅を２１８ｍｍにするようにしても良い。
【００８６】
・前記実施例１のステップ２４０では、画像データの主走査方向のサイズと、記録紙の主走査方向の長さとの比率に基づいて、縮小率を算出してもよい。
・前記実施例１〜４において、読取部７は、感光体上に像を形成することにより原稿を読み取るアナログ方式の読取手段であってもよい。
【００８７】
・前記実施例１〜４において、原稿や記録紙のサイズを検出する方法としては、例えば、原稿や記録紙の搬送経路に、それらの先端や後端の通過を検知することができる機械式又は光学式のセンサを設けておき、先端の検出から後端の検出までの搬送量として、原稿や記録紙のサイズを検出することができる。
【図面の簡単な説明】
【図１】本実施例のＦＢ−ＭＦＤの構成を示すブロック図である。
【図２】本実施例のＦＢ−ＭＦＤの構成を示すブロック図である。
【図３】本実施例のＦＢ−ＭＦＤが実行する処理を示すフロー図である。
【図４】本実施例のＦＢ−ＭＦＤが実行する処理を示すフロー図である。
【図５】    本実施例のＦＢ−ＭＦＤが実行する処理を示すフロー図である。
【図６】本実施例のＦＢ−ＭＦＤが奏する作用効果を示す説明図である。
【図７】本実施例のＦＢ−ＭＦＤが奏する作用効果を示す説明図である。
【図８】本実施例のＦＢ−ＭＦＤが実行する処理を示すフロー図である。
【図９】従来複写装置による複写方法を示す説明図である。
【符号の説明】
１・・・ＦＢ−ＭＦＤ
３・・・ＭＰＵ
７・・・読取部
９・・・記録部
１１・・・操作部
１３・・・画像メモリ
１８・・・倍率変換部
３５・・・ＣＣＤイメージセンサ
５５・・・ラインデータ縮小部
５７・・・ラインバッファ
【図１】
2004215101.tif 000003
【図２】
2004215101.tif 000004
【図３】
2004215101.tif 000005
【図４】
2004215101.tif 000006
【図５】
2004215101.tif 000007
【図６】
2004215101.tif 000008
【図７】
2004215101.tif 000009
【図８】
2004215101.tif 000010
【図９】
2004215101.tif 000011